(57)【要約】インフルエンザＡサブタイプＨ５ウイルスの検出のための現行法、例えば細胞培養、赤血球凝集抑制、蛍光抗体、及び酵素免疫測定法、並びに逆転写酵素ポリメラーゼ連鎖反応（ＲＴ−ＰＣＲ）は、低い感度と低い特異性の欠点を持っている。さらに、そのような方法は、比較的に難しく、日常的な所定の検出のために好適ではない。Ｈ５ウイルスを検出するための本発明のキットは、比較的により感度が高く、かつＨ５ウイルスに特異的である、使いやすい選択肢を提供する。この検出キットは、Ｈ５ウイルスの複製のための２種類の特別に設計されたプライマーＡとＢ、並びに増幅されたウイルスＲＮＡを固定化するための特異的な捕獲プローブを利用する。病原性Ｈ５ウイルスの検出のために、さらにプライマーＣが設計されもする。前記検出キットによるＨ５ウイルスの検出は、所望であれば１日以内に完了する。【特許請求の範囲】
【請求項１】
生体サンプル中の非病原性又は病原性インフルエンザＡサブタイプＨ５ウイルス検出キットであって、以下の：
−　上記生体サンプルからＨ５ウイルスのＲＮＡ分子を単離するための単離作用物質；
−　ターゲット分子を複製するための核酸複製作用物質であって、以下の：
・Ｈ５ウイルスのＲＮＡ配列の少なくとも一部に相補的な核酸配列；及び
・検出分子に結合するための核酸配列；
を含むもの；並びに
−　上記ターゲット分子を検出するための核酸検出作用物質であって上記検出分子を含むもの、
を含む上記検出キット。
【請求項２】
前記検出キットが、前記生体サンプル中の核酸を安定化させるための溶解作用物質をさらに含む、請求項１に記載の非病原性又は病原性インフルエンザＡサブタイプＨ５ウイルス検出キット。
【請求項３】
前記ターゲット分子がＲＮＡ分子である、請求項１に記載の非病原性又は病原性インフルエンザＡサブタイプＨ５ウイルス検出キット。
【請求項４】
前記核酸複製作用物質が以下の：
−　Ｈ５ウイルスのＲＮＡ配列の少なくとも一部に結合するための第１のＤＮＡ配列；及び
−　ＲＮＡポリメラーゼのプロモーターＤＮＡ配列をコードする第２のＤＮＡ配列、
を含む最初の精製・単離されたＤＮＡ分子を含み、
上記最初の精製・単離されたＤＮＡ分子が、Ｈ５ウイルスのＲＮＡ配列の少なくとも一部に結合するとき、上記最初の精製・単離されたＤＮＡ分子を、酵素及びＤＮＡヌクレオチドの存在下で伸長させて、以下の：
−　Ｈ５ウイルスのＲＮＡ配列の少なくとも一部に相補的なＤＮＡ配列；及び
−　ＲＮＡポリメラーゼのプロモーターＤＮＡ配列をコードするＤＮＡ配列、
を含むＤＮＡ配列を作製する、請求項１に記載の非病原性又は病原性インフルエンザＡサブタイプＨ５ウイルス検出キット。
【請求項５】
前記第１のＤＮＡ配列が、配列番号１、２、又は３に示すＤＮＡ配列のいずれか１つをコードする、請求項４に記載の非病原性又は病原性インフルエンザＡサブタイプＨ５ウイルス検出キット。
【請求項６】
前記ＲＮＡポリメラーゼが、バクテリオファージＴ７ ＲＮＡポリメラーゼであり、かつ、前記第２のＤＮＡ配列が、配列番号４に示すＤＮＡ配列をコードする、請求項４又は５に記載の非病原性又は病原性インフルエンザＡサブタイプＨ５ウイルス検出キット。
【請求項７】
前記核酸複製作用物質が、以下の
−　非病原性又は病原性Ｈ５ウイルスのＲＮＡ配列の少なくとも一部をコードする第１のＤＮＡ配列；及び
−　検出分子に結合するためのＤＮＡ配列をコードする第２のＤＮＡ配列、
を含む２番目の精製・単離されたＤＮＡ分子を含み、
上記２番目の精製・単離されたＤＮＡ分子が、非病原性又は病原性Ｈ５ウイルスのＲＮＡ配列の少なくとも一部に相補的なＤＮＡ配列を含むＤＮＡ分子に結合するとき、上記２番目の精製・単離されたＤＮＡ分子を、酵素とＤＮＡヌクレオチドの存在下で伸長させて、以下の：
−　非病原性又は病原性Ｈ５ウイルスのＲＮＡ配列の少なくとも一部をコードするＤＮＡ配列；及び
−　検出分子に結合するためのＤＮＡ配列をコードするＤＮＡ配列、
を含むＤＮＡ配列を作製する、請求項４に記載の非病原性又は病原性インフルエンザＡサブタイプＨ５ウイルス検出キット。
【請求項８】
−　前記Ｈ５ウイルスが非病原性であり、かつ
−　前記第１のＤＮＡ配列が、配列番号５、６、又は７に示すＤＮＡ配列のいずれか１つをコードする、
請求項７に記載の非病原性又は病原性インフルエンザＡサブタイプＨ５ウイルス検出キット。
【請求項９】
−　前記Ｈ５ウイルスが病原性であり、かつ
−　前記第１のＤＮＡ配列が、配列番号９、１０、又は１１に示すＤＮＡ配列のいずれか１つをコードする、
請求項７に記載の非病原性又は病原性インフルエンザＡサブタイプＨ５ウイルス検出キット。
【請求項１０】
前記第２のＤＮＡ配列が、配列番号８に示すＤＮＡ配列をコードする、請求項７〜９のいずれか１項に記載の非病原性又は病原性インフルエンザＡサブタイプＨ５ウイルス検出キット。
【請求項１１】
前記核酸複製作用物質が、配列番号５、６、７、９、１０、又は１１に示すＤＮＡ配列のいずれか１つをコードする第１のＤＮＡ配列から成る、２番目の精製・単離されたＤＮＡ分子を含む、請求項４に記載の非病原性又は病原性インフルエンザＡサブタイプＨ５ウイルス検出キット。
【請求項１２】
前記核酸検出作用物質が、以下の：
・　ターゲット分子に結合するための、Ｈ５ウイルスのＲＮＡ配列の少なくとも一部をコードする第１のＤＮＡ配列；及び
・　固定化物質、
を含む精製・単離されたＤＮＡ分子をさらに含み、
上記精製・単離されたＤＮＡ分子に結合するとき、上記ターゲット分子が固定化される、請求項１に記載の非病原性又は病原性インフルエンザＡサブタイプＨ５ウイルス検出キット。
【請求項１３】
前記第１のＤＮＡ配列が、配列番号１２、１３、又は１４に示すＤＮＡ配列のいずれか１つをコードする、請求項１２に記載の非病原性又は病原性インフルエンザＡサブタイプＨ５ウイルス検出キット。
【請求項１４】
前記検出分子が、以下の
・　ターゲット分子に結合するための、Ｈ５ウイルスのＲＮＡ配列の少なくとも一部をコードする第１のＤＮＡ配列；及び
・　シグナル生成物質、
を含み、
上記検出分子と前記精製・単離されたＤＮＡ分子が、上記ターゲット分子の異なる部分に結合する、請求項１２に記載の非病原性又は病原性インフルエンザＡサブタイプＨ５ウイルス検出キット。
【請求項１５】
以下の：
−　インフルエンザＡサブタイプＨ５ウイルスのＲＮＡ配列の少なくとも一部に結合するための第１のＤＮＡ配列；及び
−　ＲＮＡポリメラーゼのプロモーターＤＮＡ配列をコードする第２のＤＮＡ配列、
を含む精製・単離されたＤＮＡ分子、又は相補的なＤＮＡ分子であって、
上記最初の精製・単離されたＤＮＡ分子が、Ｈ５ウイルスのＲＮＡ配列の少なくとも一部に結合するとき、上記精製・単離されたＤＮＡ分子を、酵素及びＤＮＡヌクレオチドの存在下で伸長させて、以下の：
−　Ｈ５ウイルスのＲＮＡ配列の少なくとも一部に相補的なＤＮＡ配列；及び
−　ＲＮＡポリメラーゼのプロモーターＤＮＡ配列をコードするＤＮＡ配列、
を含むＤＮＡ配列を作製する、上記精製・単離されたＤＮＡ分子又は相補的なＤＮＡ分子。
【請求項１６】
前記第１のＤＮＡ配列が、配列番号１、２、又は３に示すＤＮＡ配列のいずれか１つをコードする、請求項１５に記載の精製・単離されたＤＮＡ分子又は相補的なＤＮＡ分子。
【請求項１７】
前記ＲＮＡポリメラーゼが、バクテリオファージＴ７ ＲＮＡポリメラーゼであり、かつ、前記第２のＤＮＡ配列が、配列番号４に示すＤＮＡ配列をコードする、請求項１５に記載の精製・単離されたＤＮＡ分子又は相補的なＤＮＡ分子。
【請求項１８】
以下の：
−　非病原性又は病原性インフルエンザＡサブタイプＨ５ウイルスのＲＮＡ配列の少なくとも一部をコードする第１のＤＮＡ配列；及び
−　検出分子に結合するためのＤＮＡ配列をコードする第２のＤＮＡ配列、
を含む精製・単離されたＤＮＡ分子又は相補的ＤＮＡ分子であって、
上記精製・単離されたＤＮＡ分子が、非病原性又は病原性Ｈ５ウイルスのＲＮＡ配列の少なくとも一部に相補的なＤＮＡ配列を含むＤＮＡ分子に結合するとき、上記精製・単離されたＤＮＡ分子を、酵素とＤＮＡヌクレオチドの存在下で伸長させて、以下の：　　−　非病原性又は病原性インフルエンザＡサブタイプＨ５ウイルスのＲＮＡ配列の少なくとも一部をコードするＤＮＡ配列；及び
−　検出分子に結合するためのＤＮＡ配列をコードするＤＮＡ配列、
を含むＤＮＡ配列を作製する、上記精製・単離されたＤＮＡ分子又は相補的ＤＮＡ分子。
【請求項１９】
−　前記Ｈ５ウイルスが非病原性であり、かつ
−　前記第１のＤＮＡ配列が、配列番号５、６、又は７に示すＤＮＡ配列のいずれか１つをコードする、
請求項１８に記載の精製・単離されたＤＮＡ分子又は相補的ＤＮＡ分子。
【請求項２０】
−　前記Ｈ５ウイルスが病原性であり、かつ
−　前記第１のＤＮＡ配列が、配列番号９、１０、又は１１に示すＤＮＡ配列のいずれか１つをコードする、
請求項１８に記載の精製・単離されたＤＮＡ分子又は相補的ＤＮＡ分子。
【請求項２１】
前記第２のＤＮＡ配列が、配列番号８に示すＤＮＡ配列をコードする、請求項１８〜２０のいずれか１項に記載の精製・単離されたＤＮＡ分子又は相補的ＤＮＡ分子。
【請求項２２】
配列番号５、６、７、９、１０、又は１１に示すＤＮＡ配列のいずれか１つをコードする第１のＤＮＡ配列から成る精製・単離されたＤＮＡ分子又は相補的ＤＮＡ分子。
【請求項２３】
以下の：
−　ターゲット分子に結合するための、インフルエンザＡサブタイプＨ５ウイルスのＲＮＡ配列の少なくとも一部をコードする第１のＤＮＡ配列、ここで、上記ターゲット分子が、インフルエンザＡサブタイプＨ５ウイルスのＲＮＡ配列の少なくとも一部に相補的な核酸配列を含む；及び
−　固定化物質、
を含む精製・単離されたＤＮＡ分子又は相補的ＤＮＡ分子であって、
上記精製・単離されたＤＮＡ分子に結合するとき、上記ターゲット分子が固定化される、上記精製・単離されたＤＮＡ分子又は相補的ＤＮＡ分子。
【請求項２４】
前記第１のＤＮＡ配列が、配列番号１２、１３、又は１４に示すＤＮＡ配列のいずれか１つをコードする、請求項２３に記載の精製・単離されたＤＮＡ分子又は相補的ＤＮＡ分子。
【請求項２５】
以下の：
−　ターゲット分子に結合するための、インフルエンザＡサブタイプＨ５ウイルスのＲＮＡ配列の少なくとも一部をコードする第１のＤＮＡ配列、ここで、上記ターゲット分子は、インフルエンザＡサブタイプＨ５ウイルスのＲＮＡ配列の少なくとも一部に相補的な核酸配列を含む；及び
−　シグナル生成物質
を含む精製・単離されたＤＮＡ分子又は相補的ＤＮＡ分子であって、
上記ターゲット分子が、上記精製・単離されたＤＮＡ分子に結合するとき、シグナルがターゲット分子から生み出される、上記精製・単離されたＤＮＡ分子又は相補的ＤＮＡ分子。
【請求項２６】
−　Ｈ５ウイルスのＲＮＡ分子を、単離作用物質により生体サンプルから単離し；
−　以下の：
・Ｈ５ウイルスのＲＮＡ配列の少なくとも一部に相補的な核酸配列；及び
・検出分子に結合するための核酸配列、
を含むターゲット分子を、最初の精製・単離されたＤＮＡ分子及び２番目の精製・単離されたＤＮＡ分子を含む核酸複製作用物質により複製し；そして
−　上記ターゲット分子を、検出分子を含む核酸検出作用物質により検出する、
生体サンプル中のインフルエンザＡサブタイプＨ５ウイルス検出キットの製造における最初の精製・単離されたＤＮＡ分子及び２番目の精製・単離されたＤＮＡ分子の使用。
【請求項２７】
前記核酸を安定化させるための溶解作用物質を、Ｈ５ウイルスのＲＮＡ分子を単離する前に生体サンプルに適用する、請求項２６に記載の生体サンプル中のインフルエンザＡサブタイプＨ５ウイルス検出キットの製造における最初の精製・単離されたＤＮＡ分子及び２番目の精製・単離されたＤＮＡ分子の使用。
【請求項２８】
前記ターゲット分子が、ＲＮＡ分子である、請求項２６に記載の生体サンプル中のインフルエンザＡサブタイプＨ５ウイルス検出キットの製造における最初の精製・単離されたＤＮＡ分子及び２番目の精製・単離されたＤＮＡ分子の使用。
【請求項２９】
前記最初の精製・単離されたＤＮＡ分子が、以下の：
−　Ｈ５ウイルスのＲＮＡ配列の少なくとも一部に結合するための第１のＤＮＡ配列；及び
−　ＲＮＡポリメラーゼのプロモーターＤＮＡ配列をコードする第２のＤＮＡ配列、
を含み、
上記最初の精製・単離されたＤＮＡ分子が、Ｈ５ウイルスのＲＮＡ配列の少なくとも一部に結合するとき、上記最初の精製・単離されたＤＮＡ分子を、酵素及びＤＮＡヌクレオチドの存在下で伸長させて、以下の：
−　Ｈ５ウイルスのＲＮＡ配列の少なくとも一部に相補的なＤＮＡ配列；及び
−　ＲＮＡポリメラーゼのプロモーターＤＮＡ配列をコードするＤＮＡ配列、
を含むＤＮＡ配列を作製する、請求項２６に記載の生体サンプル中のインフルエンザＡサブタイプＨ５ウイルス検出キットの製造における最初の精製・単離されたＤＮＡ分子及び２番目の精製・単離されたＤＮＡ分子の使用。
【請求項３０】
前記第１のＤＮＡ配列が、配列番号１、２、又は３に示すＤＮＡ配列のいずれか１つをコードする、請求項２９に記載の生体サンプル中のインフルエンザＡサブタイプＨ５ウイルス検出キットの製造における最初の精製・単離されたＤＮＡ分子及び２番目の精製・単離されたＤＮＡ分子の使用。
【請求項３１】
前記ＲＮＡポリメラーゼが、バクテリオファージＴ７ ＲＮＡポリメラーゼであり、かつ、前記第２のＤＮＡ配列が、配列番号４に示すＤＮＡ配列をコードする、請求項２９又は３０に記載の生体サンプル中のインフルエンザＡサブタイプＨ５ウイルス検出キットの製造における最初の精製・単離されたＤＮＡ分子及び２番目の精製・単離されたＤＮＡ分子の使用。
【請求項３２】
前記核酸複製作用物質が、以下の
−　非病原性又は病原性Ｈ５ウイルスのＲＮＡ配列の少なくとも一部をコードする第１のＤＮＡ配列；及び
−　検出分子に結合するためのＤＮＡ配列をコードする第２のＤＮＡ配列、
を含む２番目の精製・単離されたＤＮＡ分子を含み、
上記２番目の精製・単離されたＤＮＡ分子が、非病原性又は病原性Ｈ５ウイルスのＲＮＡ配列の少なくとも一部に相補的なＤＮＡ配列を含むＤＮＡ分子に結合するとき、上記２番目の精製・単離されたＤＮＡ分子を、酵素とＤＮＡヌクレオチドの存在下で伸長させて、以下の：
−　非病原性又は病原性Ｈ５ウイルスのＲＮＡ配列の少なくとも一部をコードするＤＮＡ配列；及び
−　検出分子に結合するためのＤＮＡ配列をコードするＤＮＡ配列、
を含むＤＮＡ配列を作製する、請求項２６に記載の生体サンプル中のインフルエンザＡサブタイプＨ５ウイルス検出キットの製造における最初の精製・単離されたＤＮＡ分子及び２番目の精製・単離されたＤＮＡ分子の使用。
【請求項３３】
−　前記Ｈ５ウイルスが非病原性であり、かつ
−　前記第１のＤＮＡ配列が、配列番号５、６、又は７に示すＤＮＡ配列のいずれか１つをコードする、
請求項３２に記載の生体サンプル中のインフルエンザＡサブタイプＨ５ウイルス検出キットの製造における最初の精製・単離されたＤＮＡ分子及び２番目の精製・単離されたＤＮＡ分子の使用。
【請求項３４】
−　前記Ｈ５ウイルスが病原性であり、かつ
−　前記第１のＤＮＡ配列が、配列番号９、１０、又は１１に示すＤＮＡ配列のいずれか１つをコードする、
請求項３２に記載の生体サンプル中のインフルエンザＡサブタイプＨ５ウイルス検出キットの製造における最初の精製・単離されたＤＮＡ分子及び２番目の精製・単離されたＤＮＡ分子の使用。
【請求項３５】
前記第２のＤＮＡ配列が、配列番号８に示すＤＮＡ配列をコードする、請求項３２〜３４のいずれか１項に記載の生体サンプル中のインフルエンザＡサブタイプＨ５ウイルス検出キットの製造における最初の精製・単離されたＤＮＡ分子及び２番目の精製・単離されたＤＮＡ分子の使用。
【請求項３６】
前記核酸複製作用物質が、配列番号５、６、７、９、１０、又は１１に示すＤＮＡ配列のいずれか１つをコードする第１のＤＮＡ配列から成る２番目の精製・単離されたＤＮＡ分子を含む、請求項２６に記載の生体サンプル中のインフルエンザＡサブタイプＨ５ウイルス検出キットの製造における最初の精製・単離されたＤＮＡ分子及び２番目の精製・単離されたＤＮＡ分子の使用。
【請求項３７】
前記核酸検出作用物質が、以下の：
・　ターゲット分子に結合するための、Ｈ５ウイルスのＲＮＡ配列の少なくとも一部をコードする第１のＤＮＡ配列；及び
・　固定化物質、
を含む精製・単離されたＤＮＡ分子をさらに含み、
上記精製・単離されたＤＮＡ分子に結合するとき、上記ターゲット分子が固定化される、請求項２６に記載の生体サンプル中のインフルエンザＡサブタイプＨ５ウイルス検出キットの製造における最初の精製・単離されたＤＮＡ分子及び２番目の精製・単離されたＤＮＡ分子の使用。
【請求項３８】
前記第１のＤＮＡ配列が、配列番号１２、１３、又は１４に示すＤＮＡ配列のいずれか１つをコードする、請求項３７に記載の生体サンプル中のインフルエンザＡサブタイプＨ５ウイルス検出キットの製造における最初の精製・単離されたＤＮＡ分子及び２番目の精製・単離されたＤＮＡ分子の使用。
【請求項３９】
前記検出分子が、以下の
・　ターゲット分子に結合するための、Ｈ５ウイルスのＲＮＡ配列の少なくとも一部をコードする第１のＤＮＡ配列；及び
・　シグナル生成物質、
を含み、
上記検出分子と上記精製・単離されたＤＮＡ分子が、上記ターゲット分子の異なる部分に結合する、請求項２６に記載の生体サンプル中のインフルエンザＡサブタイプＨ５ウイルス検出キットの製造における最初の精製・単離されたＤＮＡ分子及び２番目の精製・単離されたＤＮＡ分子の使用。
【請求項４０】
前記ターゲット分子が、請求項３４に記載の２番目の精製・単離されたＤＮＡ分子を含む核酸複製作用物質により複製される前に、請求項３３に記載の２番目の精製・単離されたＤＮＡ分子を含む核酸複製作用物質により複製される、請求項３６に記載の生体サンプル中のインフルエンザＡサブタイプＨ５ウイルス検出キットの製造における最初の精製・単離されたＤＮＡ分子及び２番目の精製・単離されたＤＮＡ分子の使用。
【発明の詳細な説明】
【０００１】
本発明の分野
本願発明は、インフルエンザＡサブタイプＨ５ウイルスを検出するための装置に関する。
【０００２】
本発明の背景
鳥類のインフルエンザ（インフルエンザＡ）ウイルスは、ヒト、豚、馬、海洋哺乳動物、及び鳥を含む種々の動物に感染する。最近のインフルエンザＡウイルスの系統発生の研究が、ウイルス遺伝子の種特異系統を明らかにし、そして種間の伝染の罹患率が動物種に依存することを証明した。彼らは、水鳥が他の種の全てのインフルエンザ・ウイルスの起源であることをも明らかにした。
【０００３】
ヒトの「新しい」インフルエンザＡウイルスの出現は、可能である。血清学とウイルス学の証拠は、１８８９以来、ある期間ヒトの母集団には存在しなかったＨＡサブタイプを伴うインフルエンザ・ウイルスの出現の６つの例が存在することを示唆する。ＨＡについての３種類のヒト・サブタイプが、周期的に現われた−１８８９年にサブタイプＨ２、１９００年にＨ３、１９１８年にＨ１、１９５７年に再びＨ２、１９６８年に再びＨ３、そして１９７７年に再びＨ１。鳥類のインフルエンザＡサブタイプＨ５Ｎ１のヒトへの最初の感染が、１９９７年に報告され、３歳の少年の死をもたらした。この最初の報告は、ウイルスの広がりを止めるための、動物、特にニワトリのＨ５ウイルスに関する日常的なスクリーニングの必要性をもたらす。
【０００４】
細胞培養、赤血球凝集抑制、蛍光抗体、及び酵素免疫測定法、及び逆転写酵素ポリメラーゼ連鎖反応（ＲＴ−ＰＣＲ）を含む多くの方法が、現在、ウイルスの同定に使用されている。しかし、これらの方法の全てが同じ問題を共有している−それらは、比較的に低い感度と低い特異性を有している。さらに、日常的な検出目的のためには検出時間が長すぎ、しかも前述の方法は、利用されるには比較的に難しい。
【０００５】
インフルエンザＡサブタイプＨ５ウイルスの検出に適用されている現在の方法は、免疫診断アッセイとウイルス培養を含む。免疫診断アッセイの例は、赤血球凝集素抑制アッセイと免疫アッセイを含む。しかし、免疫診断アッセイは、低い感度の問題点を持つ。さらに、免疫診断アッセイのターゲットは、通常特定のタンパク質なので、ターゲットを構成する遺伝子の性質は直接的には得ることができない。さらに、抗体の最初の誘導は、免疫宿主動物におけるタンパク質解析の抗原性に結果的に依存しているので、交差感受性が生じるかもしれない。
【０００６】
ウイルス培養は、正確で、低コストの検出方法であるが、比較的に労働集約的であり、インキュベーションのためのたくさんのスペースを必要とする。この培養工程は遅く、毎日の検査の需要を満たすことができない。さらに、ウイルス培養は、直接的に検出結果を提供することができず、非常に高価な他の検出方法によるさらなる確認によって返答しなくてはならない。
【０００７】
本発明の目的
従って、感度及び特異性が改善されうるようなＨ５ウイルスを検出するための使いやすい診断キットを設計することが本願発明の目的である。
検出時間及び検出のための費用を軽減しうるようなインフルエンザＡサブタイプＨ５ウイルスの検出のためのキットを設計することが本願発明の他の目的である。
Ｈ５ウイルスの病原性を直接的に検出しうるようなインフルエンザＡサブタイプＨ５ウイルスの検出のためのキットを設計することが本願発明のさらに他の目的である。
少なくとも、一般大衆に有用な選択肢を提供することが本発明の目的である。
【０００８】
本発明の概要
従って、本願発明は、生体サンプル中の非病原性又は病原性インフルエンザＡサブタイプＨ５ウイルス検出キットを提供し、上記キットは以下の：
−　上記生体サンプルからＨ５ウイルスのＲＮＡ分子を単離するための単離作用物質（ｉｓｏｌａｔｉｎｇ ａｇｅｎｔ）；
−　ターゲット分子を複製するための核酸複製作用物質であって、以下の：
・Ｈ５ウイルスのＲＮＡ配列の少なくとも一部に相補的な核酸配列；及び
・検出分子に結合するための核酸配列
を含むもの；並びに
−　上記ターゲット分子を検出するための核酸検出作用物質であって上記検出分子を含むもの、
を含む。
【０００９】
以下の：
−　インフルエンザＡサブタイプＨ５ウイルスのＲＮＡ配列の少なくとも一部に結合するための第１のＤＮＡ配列；及び
−　ＲＮＡポリメラーゼのプロモーターＤＮＡ配列をコードする第２のＤＮＡ配列、
を含む精製・単離されたＤＮＡ分子、又は相補的なＤＮＡ分子を提供することが本願発明の他の側面であり、
上記最初の精製・単離されたＤＮＡ分子が、Ｈ５ウイルスのＲＮＡ配列の少なくとも一部に結合するとき、上記精製・単離されたＤＮＡ分子を、酵素及びＤＮＡヌクレオチドの存在下で伸長させて、以下の：
−　Ｈ５ウイルスのＲＮＡ配列の少なくとも一部に相補的なＤＮＡ配列；及び
−　ＲＮＡポリメラーゼのプロモーターＤＮＡ配列をコードするＤＮＡ配列、
を含むＤＮＡ配列を作製する。
【００１０】
以下の：
−　非病原性又は病原性インフルエンザＡサブタイプＨ５ウイルスのＲＮＡ配列の少なくとも一部をコードする第１のＤＮＡ配列；及び
−　検出分子に結合するためのＤＮＡ配列をコードする第２のＤＮＡ配列、
を含む精製・単離されたＤＮＡ分子又は相補的ＤＮＡ分子を提供することが本願発明のさらに他の側面であり、
上記精製・単離されたＤＮＡ分子が、非病原性又は病原性Ｈ５ウイルスのＲＮＡ配列の少なくとも一部に相補的なＤＮＡ配列を含むＤＮＡ分子に結合するとき、上記精製・単離されたＤＮＡ分子を、酵素とＤＮＡヌクレオチドの存在下で伸長させて、以下の：
−　非病原性又は病原性インフルエンザＡサブタイプＨ５ウイルスのＲＮＡ配列の少なくとも一部をコードするＤＮＡ配列；及び
−　検出分子の結合ためのＤＮＡ配列をコードするＤＮＡ配列、
を含むＤＮＡ配列を作製する。
【００１１】
本願発明は、配列番号５、６、７、９、１０、又は１１に示すＤＮＡ配列のいずれか１つをコードする第１のＤＮＡ配列から成る精製・単離されたＤＮＡ分子又は相補的ＤＮＡ分子をも提供する。
以下の：
−　ターゲット分子に結合するための、インフルエンザＡサブタイプＨ５ウイルスのＲＮＡ配列の少なくとも一部をコードする第１のＤＮＡ配列、ここで、上記ターゲット分子が、インフルエンザＡサブタイプＨ５ウイルスのＲＮＡ配列の少なくとも一部に相補的な核酸配列を含む；及び
−　固定化物質（ｉｍｍｏｂｉｌｉｚｅｒ）、
を含む精製・単離されたＤＮＡ分子又は相補的ＤＮＡ分子を提供することが本願発明のさらに他の側面であり、
上記精製・単離されたＤＮＡ分子に結合するとき、上記ターゲット分子が固定化される。
【００１２】
以下の：
−　ターゲット分子に結合するための、インフルエンザＡサブタイプＨ５ウイルスのＲＮＡ配列の少なくとも一部をコードする第１のＤＮＡ配列、ここで、上記ターゲット分子は、インフルエンザＡサブタイプＨ５ウイルスのＲＮＡ配列の少なくとも一部に相補的な核酸配列を含む；及び
−　シグナル生成物質
を含む精製・単離されたＤＮＡ分子又は相補的ＤＮＡ分子を提供することが本願発明の他の目的であり、
上記ターゲット分子が、上記精製・単離されたＤＮＡ分子に結合するとき、シグナルがターゲット分子から生み出される。
【００１３】
本願発明は、生体サンプル中のインフルエンザＡサブタイプＨ５ウイルスの検出のためのキットの製造における最初の精製・単離されたＤＮＡ分子及び２番目の精製・単離されたＤＮＡ分子の使用をも提供し、ここで：
−　Ｈ５ウイルスのＲＮＡ分子を、単離作用物質により上記生体サンプルから単離し；
−　ターゲット分子を、上記最初の精製・単離されたＤＮＡ分子及び２番目の精製・単離されたＤＮＡ分子を含む核酸複製作用物質により複製し、ここで、上記ターゲット分子は、以下の：
・Ｈ５ウイルスのＲＮＡ配列の少なくとも一部に相補的な核酸配列；及び
・検出分子に結合するための核酸配列、
を含む；
−　上記ターゲット分子を、核酸検出作用物質により検出する、ここで、上記核酸検出作用物質は、検出分子を含む。
【００１４】
好ましい態様の詳細な説明
本願発明の好ましい態様を、図面を参照してここで説明する。一覧表１は、図面中の参照数字を容易に参照しうる部品リストである。
生体サンプル、例えばニワトリ血液中のインフルエンザＡサブタイプＨ５の濃度は、Ｈ５ウイルスＲＮＡの存在の検出が、生体サンプルで直接実施しえないくらい非常に低いかもしれない。検出目的のために十分な量までウイルスＲＮＡ分子の数を増やすために、好適な増幅技術を必要とする。核酸配列ベースの増幅（ＮＡＳＢＡ）は、ＲＮＡの増幅のために特別な用途を有する柔軟な技術であることが知られている。次に、増幅されたＲＮＡ分子を好適な技術により検出しうる。ＮＡＳＢＡは、インフルエンザ・ウイルス・サブタイプＨ５の検出のための迅速で、高感度で、高度に特異的な方法である。結果を、１日位の短期間で得ることがでる。さらに、それは直接的に病原性と非病原性Ｈ５菌株を区別することができる。
【００１５】
インフルエンザ・ウイルスは、ウイルス性のリボ核酸（ＲＮＡ）の１本鎖の形態でその遺伝物質を含んでいる。インフルエンザＡサブタイプＨ５ウイルスのＲＮＡは、その増殖に必要な遺伝子を含んでいて、必須遺伝子の１つは赤血球凝集素と呼ばれる。この遺伝子は、約１７５６ヌクレオチドの長さで、そしてこのヌクレオチドは分子の５末端から番号を付されている。
【００１６】
図１は、検出キットによるＨ５ウイルスの検出に関する全体的な手順を示す。図１で示されるように、ＲＮＡ分子の１本鎖の形態のターゲットＨ５ウイルス核酸分子は、まず生体サンプルから抽出される。適合する生体サンプルの種類は、血、血清／血漿、末梢血単核細胞／末梢血リンパ球（ＰＢＭＣ／ＰＢＬ）、痰、尿、糞便、咽喉スワブ、真皮病変スワブ、脳脊髄液、子宮頸管スミア、膿サンプル、食物基質、並びに脳、脾臓、及び肝臓を含む身体の様々な部分からの組織を含む。列挙されていない他のサンプルが、適用されもする。本願発明の検出キットの核酸抽出過程は、単離作用物質により達成される。
【００１７】
ターゲットＨ５ウイルスＲＮＡ分子を生体サンプルから抽出した後、サンプル中のＲＮＡ分子の量は検出に十分でないかもしれない。従って、Ｈ５ウイルス性のＲＮＡ分子の一部を、適切な増幅技術、例えばＮＡＳＢＡによりターゲット核酸分子に複製する。次に、このターゲット核酸分子を好適な方法により検出する。
本発明の検出キットの全体的な手順を説明した後に、各々の手順の詳細を本明細書中で議論する。
【００１８】
Ｈ５ウイルスＲＮＡ分子は、好適な単離作用物質を生体サンプルに適用することにより生体サンプルから単離されうる。好ましくは、溶解作用物質が、単離作用物質の前に用いられうる。溶解作用物質、例えば溶解バッファーは、それらの物質がサンプルからより容易に取り除かれうるような、タンパク質及び脂質の溶解、及び生体サンプル中のタンパク質の変性を担う。さらに、溶解作用物質は、長期保存目的のためにＲＮＡ分子を安定化するためのバッファーとして働くかもしれない。図２に示されるように、ＲＮＡ分子は、溶解バッファー中、室温で４８時間まで安定しており、そして−７０℃で無期限に保存される。そのようにする利点は、そのような方法の実行にふさわしくないサンプル採取場での解析を実施する必要をなくすことである。
【００１９】
好適な溶解バッファーの例は、５Ｍのグアニジンチオシアネート及びＴｒｉｓ／ＨＣｌを含む。溶解バッファーは、この検出キットの発明を形成せず、そしてその目的に好適な組成物は本技術分野に周知である。従って、溶解バッファーの詳細な組成を、ここで議論しない。依然としてタンパク質及び脂質の溶解、タンパク質の変性、並びにＲＮＡ分子の安定化の目的を達成することができる異なる組成物を持つ溶解作用物質を、本願発明の検出キットで利用しうる。
【００２０】
溶解作用物質を生体サンプルに適用した後、次のステップは、単離作用物質の使用によるサンプルからの核酸分子の単離である。図３は、前記検出キットにおける全体的な単離手順を表す。溶解作用物質を生体サンプルに適用した後に、核酸（１０）は、他の不必要な成分と一緒に溶液の形態で存在する。次に、核酸（１０）を吸着するために吸着剤、例えばシリカ（１２）をこの溶液中に添加し、核酸／シリカ混合物（１４）を得る。その後、溶液中のタンパク質及び脂質、並びに他の不必要な物質を、好適な溶離剤、例えば５Ｍのグアニジンチオシアネート及びＴｒｉｓ／ＨＣｌ溶液、Ｔｒｉｓ／ＨＣＬ溶液、７０％のエタノール、又はアセトン、あるいはそれらの組み合わせ物により洗浄されうる。混合物（１４）を、十分な量の溶離剤で洗浄した後、次にシリカ（１２）中の核酸（１０）を、遠心分離により単離する。
【００２１】
サンプル中に含まれる核酸（１２）を単離した後、Ｈ５ウイルスＲＮＡ分子が検出目的、例えばＮＡＳＢＡ技術のために複製されるように、次に増幅作用物質を核酸の混合物に適用する。３種類の精製・単離されたＤＮＡ分子が、増幅目的のために設計され、これらはプライマーＡ〜Ｃと呼ばれる。
図４は、本願発明におけるＮＡＳＢＡによるＨ５ウイルスＲＮＡの増幅に関する模式図を示す。図面に示されるように、増幅プロセスは、プライマーＡ（２２）の、１本鎖ＲＮＡ分子であるターゲットＨ５ウイルスＲＮＡ（２０）へのアニーリングにより開始される。プライマーＡ（２２）は、ターゲットＲＮＡ分子に結合できるように、そしてさらにＲＮＡポリメラーゼ、好ましくはバクテリオファージＴ７ ＲＮＡポリメラーゼのためのプロモーターをコードするＤＮＡ配列を含むように設計されている。結合の正確な位置は、検査されたウイルスの種類に依存する。結合部位は、ある期間の後に変化するかもしれない。プライマーＡの重要な技術的特徴は、なおも、それがＨ５ウイルスの一部に結合することができる状態にあることである。
【００２２】
従って、プライマー（２２）は、Ｈ５ウイルスＲＮＡ（２０）の少なくとも一部に相補的なＤＮＡ配列をコードする結合配列を含んでいる。本願発明の目的のために、Ｈ５ウイルスＲＮＡ（２０）への結合に好適な部位が、結合機能のための最小限の数のヌクレオチドを含むことが発見されているＨ５ウイルスの赤血球凝集素遺伝子のヌクレオチド１１０７〜１１３２の部位であることが分かっている。従って、プライマーＡの結合配列は、図６の配列番号１に記載される、Ｈ５ウイルスの赤血球凝集素遺伝子のヌクレオチド１１０７〜１１３２の部位に相補的なＤＮＡ配列を好ましくは含んでいる。配列番号１が、５’−３’方向に形式的に書かれることに留意すべきである。結果として、ウイルス遺伝子に対する結合の方向は、「後方」から「前方」の形態である。
【００２３】
選択肢として、Ｈ５ウイルスの赤血球凝集素遺伝子のヌクレオチド１０６０〜１１４０ （配列番号２、図７）、又はヌクレオチド１０４０〜１１６０ （配列番号３、図８）が、プライマーＡ（２２）の結合目的のために使用されうる。
明細書中でより詳細に記載される増幅目的のために、プライマー（２２）は、ＲＮＡポリメラーゼ、例えばバクテリオファージＴ７ ＲＮＡポリメラーゼのプロモーターをコードするＤＮＡ配列をさらに含んでいる。好適なプロモーターＤＮＡ配列は、配列番号４ （図９）に記載されている。プライマーＡがＨ５ウイルスＲＮＡに結合した時に、結合配列が３’末端で伸長するように、プロモーター配列は、好ましくは結合配列の５’末端に付着される。他のＲＮＡポリメラーゼが利用される場合、前記プロモーター配列は、当然変更されなくてはならない。
【００２４】
Ｈ５ウイルスＲＮＡにプライマーＡが結合した後、このプライマーＡを、プライマーＡの３’末端で、好適なヌクレオチドの存在下、好適な逆転写酵素、例えば鳥類の筋芽細胞症ウイルス−逆転写酵素（ＡＭＶ−ＲＴ）の作用によりを伸長される。従って、以下の配列を含めた伸長されたプライマーＡ （２４）が得られる：
（ａ）　Ｈ５ウイルスＲＮＡの一部に相補的なＤＮＡ配列；及び
（ｂ）　ＲＮＡポリメラーゼのためのプロモーターをコードするＤＮＡ配列。
【００２５】
得られたＤＮＡ：ＲＮＡハイブリッドのＨ５ ＲＮＡ部分（２６）は、ＲＮａｓｅＨの作用により除去される。これが、プライマーＢ （２８）に、プライマーＡ（２２）のアニール部位の上流の位置での伸長したプライマーＡ （２４）へのアニールを可能にする。従って、プライマーＢ （２８）に関して伸長したプライマーＡ （２４）に結合するために、プライマーＢ （２８）は、Ｈ５ウイルス赤血球凝集素遺伝子配列の一部をコードする第１の結合ＤＮＡ配列を含んでいる。好ましくは、プライマーＢ（２８）のこの第１のＤＮＡ配列は、Ｈ５ウイルスの赤血球凝集素遺伝子のヌクレオチド９１４〜９４０をコードする（配列番号５、図１０）。選択肢として、Ｈ５ウイルス赤血球凝集素遺伝子のヌクレオチド８６６〜９６１（配列番号６、図１１）、又はヌクレオチド８４６〜９８１ （配列番号７、図１２）を利用しうる。
【００２６】
検出目的を果たすために、プライマーＢ（２８）は、検出分子の核酸配列に相補的な第２のＤＮＡ配列をさらに含んでいる。増幅されたＲＮＡ分子に結合するように、Ｈ５ウイルスのＲＮＡ配列の一部をコードするＤＮＡ配列を含むようにこの検出分子がある程度設計されれば、プライマーＢが第２のＤＮＡ配列を含む必要がないかもしれない。このケースにおいて、プライマーＢは、単なる第１のＤＮＡ配列から成る。
【００２７】
選択肢として、配列番号８（図１３）の示されるＤＮＡ配列をコードする第２のＤＮＡ配列が、プライマーＢに含まれる。好ましくは、第２のＤＮＡ配列は、プライマーＢの結合配列の５’末端に付着する。他の検出核酸配列が使用される場合、配列番号８が、変更の対象となる。
伸長したプライマーＡ （２４）へのプライマーＢ（２８）のアニーリング後に、プライマーＢ （２８）を、プライマーＡ （２４）の末端で、ＡＭＶ−ＲＴの作用によりＴ７ ＲＮＡ ポリメラーゼ・プロモーターを通じて下流に伸長する。結果として、一方の末端に完全なＴ７ ＲＮＡポリメラーゼ・プロモーターを、そしてもう一方の末端にＨ５ウイルスＲＮＡ配列の一部をコードする、元のＨ５ウイルスＲＮＡターゲット配列の２本鎖ＤＮＡコピー（３０）を生じる。次に、このプロモーターをＴ７ ＲＮＡポリメラーゼにより認識させ、元のＨ５ウイルスＲＮＡ配列の一部に相補的なＲＮＡ配列を含む、大量のターゲットＲＮＡ分子（３２）の製造をもたらす。
【００２８】
プライマーＢは、インフルエンザＡサブタイプＨ５ウイルスの非病原性菌株を決定するために使用される。病原性Ｈ５ウイルスの検出のために、プライマーＢの代わりにプライマーＣが使用される。同様に、プライマーＣは、以下のＤＮＡ配列：
−　病原性Ｈ５ウイルスのＲＮＡ配列の少なくとも一部をコードする第１のＤＮＡ配列；及び
−　検出ＤＮＡ配列に相補的なＤＮＡ配列をコードする第２のＤＮＡ配列、
を含む精製・単離されたＤＮＡ分子である。プライマーＢの場合のように、この第２のＤＮＡ配列は、単に任意の成分であるかもしれない。
【００２９】
ターゲットが病原性Ｈ５ウイルスである以外、プライマーＣの機能及び働きはプライマーＢと同じものである。
好ましくは、プライマーＣの第１のＤＮＡ配列は、Ｈ５ウイルスの赤血球凝集素遺伝子のヌクレオチド１０１７〜１０４２をコードする（配列番号９、図１４）。選択肢として、Ｈ５ウイルス赤血球凝集素遺伝子のヌクレオチド９７０〜１０６３ （配列番号１０、図１５）、又はヌクレオチド９５０〜１０８３ （配列番号１１、図１６）が、利用されうる。
【００３０】
プライマーＣは、プライマーＡ （２２）によりサンプルから新しく単離された核酸からＨ５ウイルスＲＮＡターゲットを効率よく複製しないことが分かる。従って、プライマーＡ （２２）及びＢ （２８）を使用してＨ５ウイルスに関して検査で陽性を示したサンプルからの増幅したＲＮＡにプライマーＣを適用することが好ましい。
増幅工程の産物は、以下のＲＮＡ配列：
（ａ）　元のＨ５ウイルスＲＮＡ（病原性又は非病原性）の一部に相補的なＲＮＡ配列；及び
（ｂ）　プライマーＢ又はＣが対応する第２のＤＮＡ配列を含んでいれば、検出分子の核酸配列に相補的なＲＮＡ配列、
を各々含む、大量のターゲットＲＮＡ分子（３２）である。
【００３１】
この特定の態様のターゲットＲＮＡ分子（３２）は、Ｔ７ ＲＮＡポリメラーゼによる増幅工程中に自動的に含まれている、Ｔ７ ＲＮＡポリメラーゼのためのプロモーターをコードするＲＮＡ配列をさらに含んでいる。しかし、ＲＮＡ配列のこのセグメントは、検出ステップに機能を持っていない。
ターゲットＲＮＡ分子（３２）の検出を、図５で説明する。ターゲットＲＮＡ分子（３２）は、シグナルを生じることができる検出分子、例えば検出プローブ（４０）に結合することにより検出されうる。シグナルは、検出プローブ（４０）に付されたシグナル生成物質（４１）から生じる。図５示されるように、この特に好ましい態様において、シグナル生成物質（４１）は、ルテニウム−ビピリジン複合体［Ｒｕ（ｂｐｙ）３］２＋である。選択肢として、シグナル生成物質（４１）は、放射性（例えば、３２Ｐ）、化学発光性（例えば、ルシフェリン／ルシフェラーゼ）、蛍光性（例えば、フルオレセイン）、酸素（例えば、アルカリホスファターゼ、セイヨウワサビ・ペルオキシダーゼ）、又は他の電気化学発光分子である。
【００３２】
プライマーＢ又はＣが検出ＤＮＡ配列に相補的である対応の第２のＤＮＡ配列を含む場合、前記ターゲットＲＮＡ分子（３２）は、検出分子の核酸配列に相補的なＲＮＡ配列を含む。そのようなデザインを利用する利点は、商業的に入手可能な検出分子を使用しうることである。
プライマーＢ又はＣが単にＨ５ウイルスの赤血球凝集素遺伝子配列の一部をコードする第１のＤＮＡ配列から成る場合、新しい検出分子が必要とされる。この場合、前記検出分子は、以下の：
・　ターゲットＲＮＡ分子（３２）にコードされているものに相補的なＨ５ウイルスＲＮＡ配列の一部をコードする核酸配列；及び
・　シグナル生成物質、
を含むかもしれない。
【００３３】
ターゲットＲＮＡ分子（３２）は、元のサンプル中に含まれる増幅されていない核酸、プライマーＡ、Ｂ、及びＣ、反応しなかったヌクレオチド、並びに最も重要なことに、結合しなかった検出分子を含めた他の望ましくない成分と一緒に混合物中に含まれている。従って、望ましくない成分を洗浄しうるように、ターゲットＲＮＡ分子（３２）を捕獲分子、例えば捕獲プローブ（４２）で固定化する。捕獲プローブ（４２）は、ターゲットＲＮＡ分子（３２）に結合することができる。これは、ターゲットＲＮＡ分子（３２）にコードされているものに相補的なＨ５ウイルスＲＮＡ配列の一部をコードする核酸配列を含むことにより達成される。この捕獲プローブ（４２）は、さらに固定化物質（４４）に付着する。他の望ましくない成分を洗浄しうるように、前記固定化物質はターゲットＤＮＡ分子（３２）を固定化する。図５で示される固定化物質（４４）は、作用電極に引き付けられうる磁性粒子である。他の固定化物質、例えばその上に付着した相当数の捕獲プローブ（４２）を有する重合体の小片が利用されもする。
【００３４】
検出プローブの配列は、その末端がプライマーＡとＢ、又はプライマーＡとＣにより確定される増幅されたＲＮＡ産物のいずれかの部位に相補的である。しかし、これが捕獲プローブと増幅されたＲＮＡ、その逆もまた同様、の相互作用に影響するので、この検出プローブ配列は、捕獲プローブのそれに重複させることができない。
【００３５】
図５で示されるように、ターゲットＤＮＡ分子は、検出プローブ（４０）と一緒に固定化される。従って、混合物への捕獲プローブ（４２）の添加のタイミングに対する制限はない。捕獲プローブが洗浄ステップの前に添加される限り、捕獲プローブ（４２）は、検出プローブ（４０）の添加後、又はその前に添加される。
プライマーＡ、Ｂ、及びＣ、並びに捕獲プローブの核酸配列が、ここで既知の場合、対応する相補的ＤＮＡ分子の合成は、当業者にとって明白である。そのような相補的ＤＮＡ分子は、プライマーＡ、Ｂ、及びＣ、並びに捕獲プローブの合成の鋳型として使用されうる。
【００３６】
本発明を、制限することのない以下の実施例によりここで説明する。様々な変更と修飾が、本発明の範囲から逸脱することなく以下の実施例及び方法に適用されうることに留意すべきである。従って、以下の実施例が、説明のみとして解釈され、そしてあらゆる意味においても制限することがないことに留意すべきである。
【００３７】
実施例
この実施例の検出キットの詳細な構成要素を以下の通り列挙する：
Ａ．溶解バッファー
・５０×０．９ ｍｌの溶解バッファー（５Ｍ グアニジンチオシアネート、トリトンＸ−１００、Ｔｒｉｓ／ＨＣｌ）
Ｂ．核酸単離成分
・５×２２ ｍｌの洗浄バッファー（５Ｍ グアニジンチオシアネート、Ｔｒｉｓ／ＨＣｌ）
・５×０．８ ｍｌのシリカ（塩酸により活性的にされた二酸化ケイ素粒子）
・５×１．５ ｍｌの溶離バッファー（Ｔｒｉｓ／ＨＣｌ）
【００３８】
Ｃ．核酸増幅成分
・５×６０μｌの酵素溶液（鳥類の筋芽細胞症ウイルス−逆転写酵素 （ＡＭＶ−ＲＴ）、ＲＮａｓｅ−Ｈ、牛血清アルブミンにより安定化したＴ７ ＲＮＡポリメラーゼ
・５×１０ ｍｇの試薬玉（ヌクレオチド、ジチオスレイトール、及びＭｇＣｌ２を凍結乾燥した球）。シリカゲル乾燥剤とホイール包装の状態で含んだ
・１×０．６ ｍｌの試薬玉希釈液（Ｔｒｉｓ−ＨＣｌ、４５％ ＤＭＳＯ）
・１×１．６ｍｌのＫＣｌ溶液
・１×７０ μｌのＨ５−プライマー混合物
【００３９】
Ｄ．核酸検出成分
・１×０．９ｍｌの、ノーブランドのＥＣＬ検出プローブ（ルテニウム・ラベルしたＤＮＡオリゴヌクレオチド、保存剤：５ ｇ／Ｌ ２−クロロアセトアミド）
・１×０．７ ｍｌのＨ５捕獲プローブ（ビオチニル化オリゴヌクレオチド、保存剤：５ ｇ／Ｌ ２−クロロアセトアミド）
・２×１．７ ｍｌの装置標準液（ルテニウム・ラベルした常磁性ビーズ）
先に列挙した材料は、５０回の試験反応のために使用することを意図している。
試験反応に使用される、検出キットに含まれていないすぐに利用可能な材料を以下のとおり列挙する：
【表１】
2004509648.tif 000002
【００４０】
試薬の調製
Ａ．溶解バッファー
・溶解バッファーを、この放出手順を始める前に３７℃で３０分間、前もって温める。
・全ての結晶が完全に溶解していることを確実にするためにインキュベーションの間、上記溶解バッファー・バイアルを１０分ごとに混合する。
・上記溶解バッファーを室温まで冷ます。
・過度の熱又は光から上記溶解バッファーを保護する。
【００４１】
Ｂ．核酸単離試薬
・全ての試薬を使用前に室温にする。
・試薬の再利用：１０点未満のサンプルをアッセイする場合、単離試薬の余りは、−２０℃で２週間まで保存しうる。
１．洗浄バッファー
・洗浄バッファーを、単離手順を始める前に３７℃で３０分間、前もって温める。
・全ての結晶が完全に溶解していることを確実にするためにインキュベーションの間、上記溶解バッファー・バイアルを１０分ごとに混合する。
・上記溶解バッファーを室温まで冷ます。
・過度の熱又は光から上記溶解バッファーを保護する。
【００４２】
Ｃ．核酸増幅作用物質
・全ての試薬を使用前に室温にする。
・試薬の再利用：もどした試薬玉及び未使用の酵素溶液は、それらを−７０℃で保存した場合、２週間以内は再利用することができる。未使用の部分を−２０℃で保存した場合、全ての他の増幅試薬の再使用が可能である。
【００４３】
１．試薬玉／ＫＣｌ溶液の調製
・８０ μｌの試薬玉希釈液を凍結乾燥した試薬玉に添加し、そしてすぐによくボルテックスする。遠心分離はしないこと。
・希釈した球に３０ μｌのＫＣｌ溶液を添加し、そしてボルテックスする。
２．ターゲットＲＮＡ特異的プライマーの溶液の調製
・１１０ μｌの試薬玉／ＫＣｌ溶液を、新しい試験管に移し、１０ μｌのＨ５プライマー混合物を添加する。ボルテックスすることによりよく混合する。遠心分離はしないこと。
【００４４】
３．酵素溶液
・室温で酵素溶液を解凍し、指で試験管を軽くはじいて優しく混合する。酵素を含むあらゆる溶液はボルテックスしないこと。使用前に試験管の内容物を遠心分離する。
Ｄ．核酸検出試薬
・未使用の試薬が２〜８℃に保存されている場合、検出試薬の再利用が可能である。
【００４５】
１．捕獲及び検出プローブ
・特定のＲＮＡ単位複製配列の検出を、前もって常磁性ビーズ結合したＨ５捕獲プローブと組み合わせて、このキットのノーブランドの検出プローブを用いて実行する。
２．Ｈ５ ＲＮＡハイブリダイゼーション溶液
・不透明な溶液を形成するまでＨ５捕獲ビーズをボルテックスする。
・Ｎ個のＨ５ ＲＮＡ特異的反応のために：
新しい試験管に（Ｎ＋２）×１０ μｌのＨ５ ＲＮＡ特異的捕獲ビーズを添加し、
（Ｎ＋２）×１０ μｌのノーブランドのＥＣＬプローブを添加する。
・使用前にハイブリダイゼーション溶液をボルテックスする。
【００４６】
インビトロにおけるＲＮＡ増幅
Ａ．核酸の放出と単離
１．核酸放出を始める前に、一様に前もって溶解バッファーの試験管を３０分間温め、そしてボルテックスする。
２．溶解バッファーの試験管を１０，０００×ｇで３０秒間遠心分離しする。
【００４７】
３．１００ μｌのターゲットＲＮＡを溶解バッファーの試験管に添加し、そしてボルテックスする。溶解バッファー中、試料は：
−７０℃で無期限に、
２〜８℃で１４日まで、
２５℃で４８時間まで、
保存することができる。
【００４８】
４．シリカ懸濁液をボルテックスし、そして各々のサンプルＲＮＡ／溶解バッファー試験管に５０ μｌを添加する。
５．ＲＮＡ／溶解バッファー／シリカの試験管を、室温で１０分間インキュベートする（シリカが底に堆積するのを防ぐために２分ごとに試験管をボルテックスする）。
６．ＲＮＡ／溶解バッファー／シリカの試験管を１０，０００×ｇで３０秒間、遠心分離する。
【００４９】
７．慎重に上清を取り除いて（ペレットを乱さないこと）、各々の試験管に１ ｍｌの洗浄バッファーを添加する。
８．ペレットが完全に再懸濁するまで試験管をボルテックスする。
９．試験管を１０，０００×ｇで３０秒間、遠心分離する。
１０．ステップ（７）〜（９）を、
・　洗浄バッファーにより１回、
・　７０％のエタノールにより２回、
・　アセトンにより１回繰り返す。
【００５０】
１１．最後の洗浄ステップの後、１００ μｌピペットを用いて全ての残留アセトンを慎重に取り除く。
１２．加熱ブロック上の５６℃で１０分間、開口した試験管中、シリカ・ペレットを乾燥させる。
１３．乾燥した時点で、各々の試験管に５０ μｌの溶離バッファーを添加する。
【００５１】
１４．ペレットを完全に懸濁するまで剤まで試験管をボルテックスする。
１５．再懸濁したシリカを５６℃で１０分間インキュベートし、核酸を溶離する（５分後、試験管をボルテックスする）。
１６．試験管を、１０，０００×ｇで２分間遠心分離する。
１７．５ μｌの各々の核酸上清を、新しい試験管に移し、そして１時間以内に増幅反応を始める。
【００５２】
Ｂ．核酸の増幅
１．各々のＨ５ ＲＮＡ反応物について、５ μｌの核酸抽出物を新しい試験管中にピペットで移す。
２．１０ μｌのＨ５ ＲＮＡ特異的増幅溶液を添加する。上記増幅溶液は、非病原性Ｈ５ウイルスの検出のためのプライマーＡ及びＢを含む。
【００５３】
３．加熱ブロックにより６５℃で５分間、試験管をインキュベートする。
４．加熱ブロックにより４１℃で５分間、試験管を冷却する。
５．５ μｌの酵素溶液を添加し、そして指で試験管をはじいてよく混成する。
６．試験管を、直ちに４１℃で１０分間に戻す。
７．上記試験管を軽く遠心分離し、そして水浴中、４１℃で９０分間それらをインキュベートする。
【００５４】
８．増幅産物の検出をここで実施する。選択肢として、この増幅産物を−２０℃で１ヶ月まで保存しうる。
９．非病原性Ｈ５ウイルスの存在に関する検出結果が陽性の場合、病原性Ｈ５ウイルスの検出のためのプライマーＡ及びＣを含む増幅溶液を、ステップ２〜８を繰り返すことにより上記増幅産物にここで適用する。
【００５５】
Ｃ．核酸の検出
１．不透明になるまでハイブリダイゼーション溶液をボルテックスする。２０ μｌのターゲットＲＮＡハイブリダイゼーションを、各々のハイブリダイゼーション試験管に添加する。
２．増幅反応のために：
・　５ μｌのＨ５ ＲＮＡ増幅反応物を添加し、
・　粘着テープを用いてハイブリダイゼーション試験管を覆い、
・　不透明な溶液を形成するまでハイブリダイゼーション試験管を混合する。
【００５６】
３．ハイブリダイゼーション試験管を覆うために粘着テープを使用する。これは、蒸発と汚染を防ぐ。
４．４１℃で３０分間、ハイブリダイゼーション試験管をインキュベートする。
５．３００ μｌのアッセイ・バッファーをハイブリダイゼーション試験管に添加する。
【００５７】
前記サンプルを、好適な検出装置によりＨ５ウイルスの存在について検出する準備がこの時できている。この実施例の検出は、光電子増倍管を備えた好適なシステムにより実施される。
Ｈ５ウイルス検出の結果を以下の表に列挙する。結果を、Ｐｅｒｋｉｎ Ｅｌｍｅｒ ＡＢＩ ３１０ Ｇｅｎｅｔｉｃ Ａｎａｌｙｚｅｒを使用して、ＤＮＡ配列決定法により確認する。
【表２】
2004509648.tif 000003
【表３】
2004509648.tif 000004
【００５８】
前述の実施例で示されるように、農場を含む様々な検査場において前記検出キットが都合よく使用されることを実現することができる。さらに、前記検出キットは、既存の方法より使用が比較的に簡単で、そしてより短い時間に検出結果を提供することができるかもしれない−検出結果は、所望であれば１日以内に利用可能であるかもしれない。ＲＮＡベースの検出システムであるので、特異性と感度が高められた検出キットは、Ｈ５ウイルスに特異的であり、そしてサンプル中のＨ５ウイルスの濃度は、ウイルスは検出のためのターゲット分子に複製されるのでもはや重要ではないかもしれない。
【００５９】
プライマー、検出プローブ、及び捕獲プローブがＲＮＡ分子の形成に有用でもあることは当業者にとって明白である。ＤＮＡ分子は、安定性の理由のため好ましい。
本願発明の好ましい態様を先の段落で述べたが、本願発明の修飾と代替型は、可能であり、そしてそのような修飾と代替型が、前記請求項に記載する本願発明の範囲内に依然として存在することは当業者にとって明白である。さらに、本願発明の態様は、実施例又は図面のみにより限定的に解釈されないものとする。
【表４】
2004509648.tif 000005
【００６０】
本願発明の好ましい態様を、以下の図面に関してここで説明する：
ここで、図６〜１９は、増幅及び検出目的のために検出キットのＤＮＡ分子に使用される、本願発明に関する核酸配列の配列番号１〜１４のそれぞれを示していた。
【図面の簡単な説明】
【図１】
本願発明のキットによるインフルエンザＡサブタイプＨ５ウイルスの検出の全体的な手順のフローチャートを示す。
【図２】
本願発明の検出キットによるインフルエンザＡサブタイプＨ５ウイルスの検出に関する詳細な手順を示す。
【図３】
生体サンプルからのウイルスＲＮＡ分子の単離を示す。
【図４】
２種類のＤＮＡ分子、プライマーＡ及びＢによるインフルエンザＡサブタイプＨ５ウイルスＲＮＡ分子の一部の増幅を示す。
【図５】
検出プローブに結合した間の増幅されたＲＮＡ分子の固定化を示す。
【図１】
2004509648.tif 000006
【図２】
2004509648.tif 000007
【図３】
2004509648.tif 000008
【図４】
2004509648.tif 000009
【図５】
2004509648.tif 000010
【国際公開パンフレット】
2004509648.tif 000011
2004509648.tif 000012
2004509648.tif 000013
2004509648.tif 000014
2004509648.tif 000015
2004509648.tif 000016
2004509648.tif 000017
2004509648.tif 000018
2004509648.tif 000019
2004509648.tif 000020
2004509648.tif 000021
2004509648.tif 000022
2004509648.tif 000023
2004509648.tif 000024
2004509648.tif 000025
2004509648.tif 000026
2004509648.tif 000027
2004509648.tif 000028
2004509648.tif 000029
2004509648.tif 000030
2004509648.tif 000031
2004509648.tif 000032
2004509648.tif 000033
2004509648.tif 000034
2004509648.tif 000035
2004509648.tif 000036
2004509648.tif 000037
2004509648.tif 000038
2004509648.tif 000039
2004509648.tif 000040
2004509648.tif 000041
2004509648.tif 000042
2004509648.tif 000043
2004509648.tif 000044
2004509648.tif 000045
2004509648.tif 000046
2004509648.tif 000047
2004509648.tif 000048
2004509648.tif 000049
2004509648.tif 000050
2004509648.tif 000051
2004509648.tif 000052
2004509648.tif 000053
2004509648.tif 000054
2004509648.tif 000055
2004509648.tif 000056
2004509648.tif 000057
2004509648.tif 000058
2004509648.tif 000059
【国際調査報告】
2004509648.tif 000060
2004509648.tif 000061